(57)【要約】【課題】  インポートされるアドレス帳の通信モードを自機に対応した通信モードに置き換えて登録する。【解決手段】    通信処理を行う画像処理装置であって、インポートされるアドレス帳の通信モードが自機の通信モードに対応しているかどうかを判断する判断手段と、自機の通信モードに一致しないと判断した場合、ユーザから選択される通信モードに合わせて前記インポートされるアドレス帳の通信モードを書き換える第１の書換手段と、第１の書換手段により書き換えられたアドレス帳を記憶手段に登録する登録手段と、を備えることを特徴とする。【選択図】  図５
2016123023.tif 000002
【特許請求の範囲】
【請求項１】
通信処理を行う画像処理装置であって、
インポートされるアドレス帳の通信モードが自機の通信モードに対応しているかどうかを判断する判断手段と、
自機の通信モードに一致しないと判断した場合、ユーザから選択される通信モードに合わせて前記インポートされるアドレス帳の通信モードを書き換える第１の書換手段と、
第１の書換手段により書き換えられたアドレス帳を記憶手段に登録する登録手段と、
を備えることを特徴とする画像処理装置。
【請求項２】
前記第１の書換手段は、ユーザから選択される通信モードに合わせて前記インポートされるアドレス帳に設定された宛先情報を自機の通信モードで使用する宛先情報に合わせて書き換えることを特徴とする請求項１記載の画像処理装置。
【請求項３】
自機の通信モードに一致しないと判断した場合、インポートされる通信モードのうち、特定の通信モードを自機で使用する通信モードに一括して書き換える第２の書換手段を備えることを特徴とする請求項１記載の画像処理装置。
【請求項４】
前記画像処理装置は、アナログＧ３ファクシミリ装置、ＩＰＧ３ファクシミリ装置を含むことを特徴とする請求項１乃至３のいずれか１項に記載の画像処理装置。
【請求項５】
前記ＩＰＧ３ファクシミリ装置は、構内ＩＰ網、公衆ＩＰ網を使用してファクシミリ通信を行うことを特徴とする請求項４記載の画像処理装置。
【請求項６】
アナログＧ３ファクシミリ装置は、ＰＳＴＮ回線を使用してファクシミリ通信を行うことを特徴とする請求項４記載の画像処理装置。
【請求項７】
インポートされるアドレス帳は、アナログＧ３ファクシミリ装置のアドレス帳であることを特徴とする請求項１記載の画像処理装置。
【請求項８】
通信処理を行う画像処理装置の制御方法であって、
インポートされるアドレス帳の通信モードが自機の通信モードに対応しているかどうかを判断する判断工程と、
自機の通信モードに一致しないと判断した場合、ユーザから選択される通信モードに合わせて前記インポートされるアドレス帳の通信モードを書き換える書換工程と、
書換工程により書き換えられたアドレス帳を記憶手段に登録する登録工程と、
を備えることを特徴とする画像処理装置の制御方法。
【請求項９】
請求項８に記載の画像処理装置の制御方法をコンピュータに実行させることを特徴とするプログラム。
【発明の詳細な説明】
【技術分野】
【０００１】
本発明は、画像処理装置、画像処理装置の制御方法、及びプログラムに関するものである。
【背景技術】
【０００２】
近年、画像処理装置にＩＰ網を用いたＦＡＸ伝送する技術が考案されている。その一つがＩＴＵ−Ｔ勧告のＴ．３０プロトコルを用いた、みなし音声伝送である。これはデータをＭＯＤＥＭによりアナログ信号に変調し、音声ＣＯＤＥＣによって符号化し、さらにＩＰヘッダを付けてＲＴＰパケット化したものを伝送する方法であり、Ｔ．３０のアナログ信号を音声信号とみなして伝送するため、みなし音声伝送と呼ばれる。また、ＩＰ網を用いてＧ３ＦＡＸ通信を実現するためＩＰＧ３通信とも呼ばれる。ＩＰＧ３通信を行うことができるＦＡＸがＩＰＧ３ＦＡＸである。
また、ＩＰＧ３通信には、構内ＩＰ網（イントラネット）に接続されたデバイス同士でＦＡＸ通信を行う場合と、公衆ＩＰ網（ＮＧＮ）に接続されたデバイス同士でＦＡＸ通信を行う場合とがある。
【０００３】
ＮＧＮは従来のＰＳＴＮ回線と相互乗り入れしており、ＮＧＮに接続されたＩＰＧ３ＦＡＸから、ＰＳＴＮに接続されたアナログＧ３ＦＡＸの電話番号を指定してＦＡＸを送信することが可能である。
逆にアナログＧ３ＦＡＸからＩＰＧ３ＦＡＸの電話番号を指定してＦＡＸ送信することも可能である。サービス提供元が網内に用意したＶｏＩＰＧＷによりＲＴＰパケットとアナログ信号を相互変換し通信するものである。
【０００４】
ＩＰＧ３ＦＡＸ機には、上記イントラネット、ＮＧＮの２つの網に接続でき、ユーザ設定を切り替えることなく、イントラネット回線のデバイス、ＮＧＮ回線のデバイス、どちらとも通信が可能なものがある（イントラネット、ＮＧＮが混合する環境）。
【０００５】
このようなＩＰＧ３ＦＡＸからＦＡＸ送信する際には、上記の通信回線のどちらを使用してＦＡＸ送信を行うのかユーザが選択する必要がある。
そのため、ＩＰＧ３ＦＡＸへ宛先電話番号を登録する際には、その宛先が上記の通信回線のどちらに属するものかを示す「通信モード」をユーザが選択登録する。このようなＩＰＧ３ＦＡＸでは通信モードは「ＮＧＮ」と「イントラネット」が選択可能である。
このようにして登録作成された宛先電話番号のリストがアドレス帳であり、ＩＰＧ３ＦＡＸ本体内部に格納されている。
【先行技術文献】
【特許文献】
【０００６】
【特許文献１】特開号公報
【発明の概要】
【発明が解決しようとする課題】
【０００７】
今後はＮＧＮの普及に伴い、アナログＧ３ＦＡＸからＩＰＧ３ＦＡＸへの移行がますます進むと予測されている。そのため、従来アナログＧ３ＦＡＸで使用していたアドレス帳をＩＰＧ３ＦＡＸへ移行することが望まれている。アナログＧ３ＦＡＸのアドレス帳をＩＰＧ３ＦＡＸ機へ移行する手順としては、第１に、移行元のアナログＧ３ＦＡＸからアドレス帳データをエクスポートしてネットワーク接続されたＰＣなどにｃｓｖ等の形式のデータファイルとして保存する。
第２に、移行先のＩＰＧ３ＦＡＸ機が前記のＰＣに保存されたアドレス帳のデータファイルをインポートする。しかしながら、アナログＧ３ＦＡＸのアドレス帳は、前述した宛先電話番号がイントラネット、ＮＧＮどちらの通信回線に属しているかの情報（通信モード）が存在せず、通信モードは「アナログＧ３」となっている。そのため移行先のＩＰＧ３ＦＡＸ機でそのままインポートした宛先電話番号を指定してＦＡＸ送信しようとした際、イントラネット、ＮＧＮどちらの通信回線へＦＡＸ送信してよいかわからない。
仮にアナログＧ３ＦＡＸが構内交換機に接続されており、「０」発信などのプリフィクスを用いて内線、外線の切り替えを行っていた場合には、「アナログＧ３」の宛先電話番号は内線、外線どちらにもなり得る。
このため、アナログＧ３ＦＡＸのアドレス帳をＩＰＧ３ＦＡＸへインポートする際に、全ての宛先を通信モードがＮＧＮとしてインポートしてしまうと、内線へ発呼したつもりが外線に接続されてしまい誤ダイヤルになってしまう、という課題があった
【０００８】
また、アナログＧ３ＦＡＸでは、構内交換機によって「０」等のプリフィクスが削除され、プリフィクスなしの電話番号が回線へ出力される。アナログＧ３ＦＡＸのアドレス帳の宛先電話番号をそのままＮＧＮに直結したＩＰＧ３ＦＡＸへ移行した場合、プリフィクス付きの電話番号が回線へ出力されるため誤送信してしまうという課題もある。
【０００９】
本発明は、上記の課題を解決するためになされたもので、本発明の目的は、インポートされるアドレス帳の通信モードを自機に対応した通信モードに置き換えて登録できる仕組みを提供することである。
【課題を解決するための手段】
【００１０】
上記目的を達成する本発明の画像処理装置は以下に示す構成を備える。
通信処理を行う画像処理装置であって、インポートされるアドレス帳の通信モードが自機の通信モードに対応しているかどうかを判断する判断手段と、自機の通信モードに一致しないと判断した場合、ユーザから選択される通信モードに合わせて前記インポートされるアドレス帳の通信モードを書き換える第１の書換手段と、第１の書換手段により書き換えられたアドレス帳を記憶手段に登録する登録手段と、を備えることを特徴とする。
【発明の効果】
【００１１】
本発明によれば、インポートされるアドレス帳の通信モードを自機に対応した通信モードに置き換えて登録できる。
【図面の簡単な説明】
【００１２】
【図１】画像処理装置の構成を説明するブロック図である。
【図２】画像処理装置と通信する情報処理システムの一例を示す図である。
【図３】画像処理装置で管理されるアドレス帳の一例を示す図である。
【図４】表示／操作部で表示されるＵＩ画面の一例を示す図である。
【図５】画像処理装置の制御方法を説明するフローチャートである。
【図６】表示／操作部で表示されるＵＩ画面の一例を示す図である。
【図７】画像処理装置の制御方法を説明するフローチャートである。
【発明を実施するための形態】
【００１３】
次に本発明を実施するための最良の形態について図面を参照して説明する。
＜システム構成の説明＞
〔第１実施形態〕
図１は、本実施形態を示す画像処理装置の構成を説明するブロック図である。なお、本実施形態に示す画像処理装置の機能を兼ねる情報処理装置、例えばファクシミリ通信機能処理を実行する複合画像形成装置であっても、本発明を適用可能である。
【００１４】
図１において、１０１はＣＰＵであり、ＲＯＭ１０８やＨＤＤ（ハードディスクドライブ）１１０に格納された制御プログラムに基づいて画像通信装置における各デバイスを制御する。１０２はＩＰ網であり、イントラネット（構内ＩＰ網）、ＮＧＮ（公衆ＩＰ網）などである。１０３は表示／操作部であり、その表示画面には、例えばウインドウ、アイコン、メッセージ、メニューその他のユーザインタフェース情報が表示される。
表示／操作部１０３は、図示は省略するが、ユーザがコピー、ＦＡＸ、プリンタ操作を行うための各種キーや、表示画面上のアイコン、メニューなどを操作する画面ポインティングデバイスから構成される。
【００１５】
１０４はスキャナ部であり、原稿の読み取りを行う。１０５は印刷部であり、ＲＡＭ１０９やＨＤＤ（ハードディスクドライブ）１１０に保存した印刷データの印刷を行う。１０８はＲＯＭであり、各種制御プログラムやデータを保持する。１０９はＲＡＭであり、ＣＰＵ１０１のワーク領域、制御プログラムのロード領域などを有する。
【００１６】
１１０はＨＤＤであり、各種制御プログラムや印刷データ、ＦＡＸの各種設定、ＦＡＸアドレス帳を保存する。１０６はＩＰパケット作成／解析部であり、ＩＴＵ−Ｕ勧告Ｔ．３０プロトコルをＩＰパケットにマッピングし、また受信したＩＰパケットからＩＴＵ−Ｕ勧告Ｔ．３０プロトコルを取り出す機能を有する。１０７は画像変換制御部であり、ＦＡＸ通信する画像の圧縮伸張や変倍、線密度変換を行う。
１１１はＮＩＣ（Ｎｅｔｗｏｒｋ  Ｉｎｔｅｒｆａｃｅ  Ｃｏｎｔｒｏｌｌｅｒ）と呼ばれる、ネットワーク部Ｉ／Ｆであり、これを通してＩＰ網に接続される。
【００１７】
１１２はＦＡＸ信号の変復調をするデジタルＭＯＤＥＭで、みなし音声伝送においては、送信データのデジタル信号をＩＴＵ−Ｔ勧告  Ｖ．１７等の手法で変調し、さらに音声ＣＯＤＥＣによってＧ．７１１やＧ．７２９などに符号化する。また、受信データの符号化された音声信号を音声ＣＯＤＥＣによって復号し、さらにデジタル信号に復調する必要があるので、音声ＣＯＤＥＣを内蔵してデジタルで入出力が可能なデジタルＭＯＤＥＭが考案されている。デジタルＭＯＤＥＭ１１２では、受信した音声パケットからＣＥＤ等のＦＡＸ信号音を解析し検出することも可能である。
【００１８】
１１３は音声信号の符号／復号化を行い電話機能を実現するためのＳＬＩＣで、音声信号をＧ．７１１やＧ．７２９などに符号復号するＡ／Ｄ変換部、Ｄ／Ａ変換部と音声ＣＯＤＥＣを持つ。１１４はハンドセット／子電話である。
【００１９】
１１５はＴ．３０プロトコル作成／解析部で、ＩＴＵ−Ｕ勧告Ｔ．３０プロトコルによるファクシミリ伝送情報を生成し、また受信したプロトコルからファクシミリ伝送情報を取り出す機能を有する。
【００２０】
例えば、ＩＰ網において、ＩＰＧ３通信によるＦＡＸ送信を行う場合、スキャナ部１０４で読み取った文書画像は、ＲＡＭ１０９へ格納され、次いで、画像変換制御部１０７で画像変換される。そして、デジタルＭＯＤＥＭ１１２によって変調され、次いで、ＩＰパケット作成／解析部１０６において、ＲＴＰパケット化された後、ＮＩＣ１１１によってＩＰ網１０２へ送出される。
【００２１】
図２は、本実施形態を示す画像処理装置と通信処理する情報処理システムの一例を示す図である。本例では、画像処理装置が、例えばＩＰＧ３ＦＡＸを含むネットワークで接続される例であり、１台がアナログＦＡＸで、他の２台がＩＰＧ３ＦＡＸで構成されるシステム例である。
【００２２】
図２において、２００１、２００３はＩＰＧ３ＦＡＸ（ＩＰＧ３ファクシミリ）、２００２はイントラネットである。ＩＰＧ３ＦＡＸ２００３はイントラネット２００２に接続されたＩＰＧ３ＦＡＸである。２００４はＮＧＮである。２００５はＮＧＮ内のＶｏＩＰＧＷである。２００６は従来のＰＳＴＮ回線である。２００７は従来のアナログＧ３ＦＡＸである。なお、実際にはＮＧＮ接続用のアダプタであるＨＧＷやイントラネット内のサーバ類があるがここでは割愛する。
【００２３】
前述したとおり、ＮＧＮ２００４ではサービス提供元が網内にＶｏＩＰＧＷ２００５を提供しており、２００４ＮＧＮに接続されたデバイスと、従来のアナログ公衆網であるＰＳＴＮ２００６に接続されたデバイスとで相互通信が可能である。
【００２４】
例えば、ＩＰＧ３ＦＡＸ２００１から電話番号１２３−４５６７へＦＡＸ送信することを考える。
ＩＰＧ３ＦＡＸ２００３はイントラネット２００２に接続されており、内線番号が１２３−４５６７である。また、アナログＧ３ＦＡＸ２００７は、アナログ公衆網であるＰＳＴＮ２００６に接続されたアナログＧ３ＦＡＸであるが、市内局番が１２３−４５６７である。つまり上記のどちらのＦＡＸも宛先電話番号が１２３−４５６７であり、どちらかと通信を行うためには、ユーザがイントラネット２００２、ＮＧＮ２００４のどちらの通信モードを使用するのか明示的に指定する必要があることを意味している。
【００２５】
ユーザがイントラネット２００２を指定して（あるいはアドレス帳の宛先電話番号に関連付けた通信モードがイントラネット２００２であれば）、ＦＡＸ送信した場合にはイントラネット２００２に接続されたＩＰＧ３ＦＡＸ２００３と通信する。
ユーザがＮＧＮ２００４を指定して（あるいはアドレス帳の宛先電話番号に関連付けた通信モードがＮＧＮ２００４であれば）、ＦＡＸ送信した場合にはＰＳＴＮ２００６に接続されたアナログＧ３ＦＡＸ２００７と通信する。アナログＧ３ＦＡＸ２００７は、アナログＧ３ファクシミリである。
【００２６】
図３は、本実施形態を示す画像処理装置で管理されるアドレス帳の一例を示す図である。
図３において、３００１、３００２、３００３はアドレス帳で、相手先の「名称」、「宛先電話番号」、「通信モード」からなる宛先リストで構成され、それぞれのＨＤＤ１１０内に格納されている。
アドレス帳３００１、３００２、３００３は、Ｇ３ＦＡＸのＮＩＣ１１１によりネットワーク接続されたＰＣなどにエクスポートすることができる。
【００２７】
アドレス帳３００１は、アナログＧ３ＦＡＸ２００７内部のアドレス帳であり、このアドレス帳をＰＣへエクスポートした場合、ＰＣ内部にバックアップされるアドレス帳はｃｓｖ等の形式のデータファイルとして格納される。
ＩＰＧ３ＦＡＸ２００１はアドレス帳３００１に対応したデータファイルをインポートする際、全ての項目内容を変更せずにインポートする。ＩＰＧ３ＦＡＸへインポートされたアドレス帳は、アドレス帳３００２のようになる。
また、アドレス帳３００３は、アドレス帳３００２から後述する図５に示すフローチャートの手順により生成されるアドレス帳である。詳細は図４で説明する。
【００２８】
図４は、図１に示した表示／操作部１０３で表示されるＵＩ画面の一例を示す図である。本例は、図３でインポートされたアドレス帳３００２の宛先を用いて、ＩＰＧ３ＦＡＸ２００１がＦＡＸ送信しようとする際のユーザインタフェースの一例である。
図４において、（Ａ）は宛先選択画面、（Ｂ）は通信モード選択画面、（Ｃ）はプリフィクス削除の画面である。
アドレス帳４００２は、図３のようにアナログＧ３ＦＡＸ２００７からインポートしてきており、アドレス帳３００２と同一の状態である。
【００２９】
ユーザがアドレス帳から宛先選択してＦＡＸ送信する際に、表示／操作部１０３の画面表示は、宛先選択画面４００２へ移行する。ここで、ユーザは「○3f○商事」を選択する。「○○商事」の宛先電話番号に対する通信モードは、図３の（Ｂ）に示すように、「アナログＧ３」である。ＩＰＧ３ＦＡＸ２００１はアナログＧ３機能を持っていないため、（Ｂ）に示すＵＩ画面へ移行し、ポップアップ４００３を表示する。ポップアップ４００３は、自機には選択された宛先電話番号に対応する通信モードがないという警告をメッセージにより表示し、自機が持つ通信モードのどれを使用してＦＡＸ送信するかをユーザに問い合わせるものである。
【００３０】
ここで、表示／操作部１０３に表示される図４の（Ｂ）のＵＩ画面上で、ユーザが選択した通信モードは、アドレス帳へ上書き保存される。そして、ＨＤＤ１１０に保存されたユーザ設定が、宛先電話番号のプリフィクスを削除する設定になっている場合、ユーザインタフェースは、（Ｃ）に示すＵＩ画面へ移行し、ポップアップ４００４をメッセージとともに表示する。ポップアップ４００４は宛先電話番号のプリフィクスを削除するか否かの問い合わせをユーザに対して行う画面である。
【００３１】
ここで、ユーザが表示／操作部１０３を操作してポップアップ４００４が肯定しとＣＰＵ１０１が判断した場合（ユーザが「はい」ボタンを押下した場合）は、宛先電話番号の先頭桁を削除し、アドレス帳へ上書き保存する。なお、本実施形態では、先頭１桁となっているが、ユーザに先頭何桁を削除するかを設定させることも可能とする。このようにして、ＩＰＧ３ＦＡＸ２００１のアドレス帳は、図３に示すアドレス帳３００３のようにＨＤＤ１１０に登録されて管理される。
【００３２】
図５は、本実施形態を示す画像処理装置の制御方法を説明するフローチャートである。本例は、アドレス帳をインポートし、アドレス帳の通信モードをユーザが選択した通信モードへ置き換える処理例である。なお、各ステップは、ＣＰＵ１０１がＨＤＤ１１０等に記憶された制御プログラムを実行することで実現される。
Ｓ６００１において、ＩＰＧ３ＦＡＸ２００１は、ネットワークに接続されたＰＣからアドレス帳３００１に対応したデータファイルをインポートする。
Ｓ６００２において、アドレス帳３００１はＨＤＤ１１０へ格納される。その際アドレス帳３００１の項目は変更なしでＨＤＤ１１０へ格納する。
Ｓ６００３において、ユーザがアドレス４００２帳の宛先を選択してＦＡＸ送信しようとする。
【００３３】
Ｓ６００４において、ＣＰＵ１０１は選択された宛先の通信モードが、ＩＰＧ３ＦＡＸ２００１に対応した通信モードかどうかを判断し、例えば対応していない「アナログＧ３」などの通信モードであると判断した場合は、Ｓ６００５へ進む。通信モードが「ＮＧＮ」や「イントラネット」などのＩＰＧ３ＦＡＸ２００１に一致する通信モードであると判断した場合はＳ６０１３へ進む。
【００３４】
Ｓ６００５において、１０３操作部に４００３ポップアップを表示し、対応していない通信モードを、２００１  ＩＰＧ３ＦＡＸに対応したどの通信モードへ置き換えるかユーザに選択させる。Ｓ６００６において、Ｓ６００３で選択された宛先の通信モードをＳ６００５で選択された通信モードに書換える。
Ｓ６００７において、Ｓ６００６で通信モードを置き換えしたアドレス帳を１１０  ＨＤＤへ書き込む。
【００３５】
Ｓ６００８において、ＣＰＵ１０１はＨＤＤ１１０に保存されたユーザ設定を読み取り、宛先電話番号のプリフィクスを削除する設定になっているかどうか判断する。ここで、削除する設定になっているとＣＰＵ１０１が判断した場合はＳ６００９へ進み、削除する設定になっていないとＣＰＵ１０１が判断した場合はＳ６０１３へ進む。
Ｓ６００９において、操作／表示部１０３にポップアップ４００４を表示し、ユーザに宛先電話番号のプリフィクスを削除するかどうか選択させる。
【００３６】
Ｓ６０１０において、プリフィクス削除が肯定されているとＣＰＵ１０１が判断した場合はＳ６０１１へ進み、否定されているとＣＰＵ１０１が判断した場合はＳ６０１３へ進む。なお、プリフィクス削除しない場合はそのままの電話番号でＦＡＸ送信を行うことになる。
Ｓ６０１１において、ＣＰＵ１０１は、選択された宛先情報である宛先電話番号の先頭桁を削除する。Ｓ６０１２において、ＣＰＵ１０１は、Ｓ６０１１で宛先電話番号を書き換えたアドレス帳をＨＤＤ１１０へ書き込む。
【００３７】
Ｓ６０１３において、Ｓ６００３、Ｓ６００５で選択された通信モードに対応する通信モードでＩＰＧ３ＦＡＸ送信を行う。
【００３８】
〔第２実施形態〕
上記実施形態では、アドレス帳をインポートし、アドレス帳の通信モードをユーザが選択した通信モードへ置き換える処理例について説明した。しかしながら、上記処理では、アドレス帳３００２に登録された名称毎に、上記処理を実行する必要があるため、ユーザに操作負担をかけてします。
そこで、本実施形態では、自動的に通信モードを変更できればより便利な機能を提供するための一例を説明する。
【００３９】
図６は、図１に示した表示／操作部１０３で表示されるＵＩ画面の一例を示す図である。本例は、アドレス帳インポート時にアドレス帳の通信モードを自動的に変換する機能の一例である通信モード一括変換機能のＵＩ画面例である。
図６において、ＩＰＧ３ＦＡＸ２００１は設定によりＮＧＮ、イントラネットのどちらかの通信モードだけを有効にすることも可能である。有効にした通信モード以外の接続は不可能になる。この設定は不揮発な情報としてＨＤＤ１１０へ格納されており、ユーザが操作部１０３から変更することができる。例えばＩＰＧ３ＦＡＸ２００１がＮＧＮにのみ接続されており、ＮＧＮのみを使用する設定になっているとする。この場合、アナログＧ３ＦＡＸ２００７のアドレス帳３００１をインポートする際に、通信モードが「アナログＧ３」である全ての宛先を通信モード「ＮＧＮ」へ変換すればユーザの負担を減らすことができる。この場合に、ＣＰＵ１０１は、表示／操作部１０３の画面にポップアップ５００２をメッセージとともに表示させ、全ての通信モードをＮＧＮへ変換するかどうかユーザに問い合わせを行う。このポップアップ５００２は、ＩＰＧ３ＦＡＸ２００１のアドレス帳にインポートする際に表示する。
【００４０】
図７は、本実施形態を示す画像処理装置の制御方法を説明するフローチャートである。本例は、アナログＧ３ＦＡＸ２００７のアドレス帳３００１をインポートし、ＩＰＧ３ＦＡＸ２００１用に、アドレス帳の通信モードを特定の通信モードに一括変換する処理例である。なお、各ステップは、ＣＰＵ１０１がＨＤＤ１１０等に記憶された制御プログラムを実行することで実現される。
【００４１】
Ｓ７００１で、ユーザはネットワーク接続されたＰＣなどからアドレス帳３００１に対応したデータファイルをインポートしようとする。Ｓ７００２において、ＣＰＵ１０１はＨＤＤ１１０に保存されたユーザ設定から、ＩＰＧ３ＦＡＸ２００１に設定された有効な通信モードが１種類であるかどうかを判断する。ここで、有効な通信モードが１種類であるとＣＰＵ１０１が判断した場合、Ｓ７００３へ進み、複数の通信モードが有効であればＳ７００６へ進む。
【００４２】
Ｓ７００３において、ポップアップ５００２を操作／表示部１０３に表示し、インポートしようとするアドレス帳の全宛先の通信モードをＳ７００２で得られた有効な通信モードへ変換する旨をユーザへ問い合わせる。
【００４３】
そして、Ｓ７００４において、ユーザがポップアップ５００２の内容を肯定しているとＣＰＵ１０１が判断した場合、Ｓ７００５へ進み、否定しているとＣＰＵ１０１が判断した場合Ｓ７００６へ進む。そして、Ｓ７００５において、ＣＰＵ１０１は、インポートしようとするアドレス帳の全宛先の通信モードをＳ７００２で得られた有効な通信モード（ＮＧＮ）へ変換する。Ｓ７００６において、ＣＰＵ１０１は、アドレス帳をＨＤＤ１１０へ書き込む。
【００４４】
本発明は、上述の実施形態の１以上の機能を実現するプログラムを、ネットワーク又は記憶媒体を介してシステムまたは装置に供給する。そして、そのシステム又は装置のコンピュータにおける１つ以上のプロセッサがプログラムを読み出し実行する処理でも実現可能である。また、１以上の機能を実現する回路（例えばＡＳＩＣ）によっても実現可能である。
【符号の説明】
【００４５】
１０１  ＣＰＵ
【図１】
2016123023.tif 000003
【図２】
2016123023.tif 000004
【図３】
2016123023.tif 000005
【図４】
2016123023.tif 000006
【図５】
2016123023.tif 000007
【図６】
2016123023.tif 000008
【図７】
2016123023.tif 000009